(57)【要約】【課題】単純な構成で安価に製造でき、基盤上に取り付け物を確実に固定でき、振動によってゆるみの生じない固定具を提供すること。【解決手段】固定対象基盤の挿入穴に挿入あるいは固定対象基盤への打ち込み可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込んで固定部によってを前記取り付け物を基盤に押圧し、当該基盤と前記取り付け物と固定部の内の少なくとも一つが有する弾性によって打ち込んだ前記本体胴部を引き戻す力を発揮させ、前記返しを前記基盤に食い込ませるか掛着させることで、前記基盤上に前記取り付け物を取り付け可能としたことを特徴とする返しを有する固定具を供する。【選択図】          図１
2004316764.tif 000002
【特許請求の範囲】
【請求項１】
固定対象基盤の挿入穴に挿入あるいは固定対象基盤への打ち込み可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込んで固定部によってを前記取り付け物を基盤に押圧し、当該基盤と前記取り付け物と固定部の内の少なくとも一つが有する弾性によって打ち込んだ前記本体胴部を引き戻す力を発揮させ、前記返しを前記基盤に食い込ませるか掛着させることで、前記基盤上に前記取り付け物を取り付け可能としたことを特徴とする返しを有する固定具。
【請求項２】
前記固定具の全体が、弾性を有する硬質材によって構成された請求項１に記載した返しを有する固定具。
【請求項３】
前記胴部の中心軸と、前記胴部最上端と前記固定部の最下端を結ぶ線によって形成される角が鋭角である固定具であり、前記本体胴部を基盤に打ち込むか挿入した際に固定部にゆがみを生じさせ、当該ゆがみを元に戻そうとして前記本体胴部を引き戻す力を発揮させ、前記返しを前記基盤に食い込ませるか掛着させることで、前記基盤上に前記取り付け物を取り付け可能としたことを特徴とする請求項１と２のいずれかに記載した返しを有する固定具。
【請求項４】
前記本体が硬質の板材であり、本体胴部に返しを形成可能に切り込みを入れて切り込み部を形成し、この切り込み部を曲折突起させることで返しを形成した請求項１と２と３のいずれかに記載した返しを有する固定具。
【請求項５】
前記本体の側端部に斜め下方に向って切れ込みを複数設け、複数の切り込み部を本体胴部の中心軸から離れるように曲折突起させて複数の返しを形成した請求項１と２と３と４のいずれかに記載した返しを有する固定具。
【請求項６】
前記本体胴部の上下両端をそれぞれ侵入部先端とし、前記それぞれの侵入部先端から前記本体胴部の上下の中央方向に向かって返しを設けた請求項１と２と４と５のいずれかに記載した返しを有する固定具。
【発明の詳細な説明】
【０００１】
【発明が属する技術分野】
基盤上に物を取り付けるための固定具に関するものである。
【０００２】
【従来の技術】
従来より、振動を有する器物に部品等を接合する場合に振動によってゆるみが生じないための様々なネジ、鋲等が発明考案されてきた。振動に伴ってネジをゆるませないための一例に、雄ネジの一部を切り欠いて雌ねじに食い込ませ逆回転を防ごうとするもの、一つは雄ネジに二重の山を形成して弾力を持たせ、雌ネジとの密着性を高めることで逆回転を防ごうとするもの等が挙げられる。しかしながら、ネジである以上逆方向の回転を完全に防ぐことには無理があり、十分な効果を上げてこなかった。
【０００３】
【特許文献１】公開実用新案公報昭６１−１９３２１５
前記ネジの逆回転を防止する物に対し、クリップ・鋲等によって前後から押さえ込みことで接合を図ろうとする物がある。公開実用新案公報昭６１−１９３２１５に示された考案は「固定部を有する軸？と、その軸？の先端に一体に設けられて弾性的に拡張する上下２つの係止鉤とよりなり、上下係止鉤は取り付け孔内壁に保有弾力に抗して逆止的に掛着するＶ字形を呈し、下部係止鉤は上部係止鉤のＶ字部の途中より分岐して取り付け孔の出口側板面係止するよう左右両即にＶ字形を呈して一体成形してなることを特徴とする」クリップである。
【０００４】
上記考案の目的は弾圧的に作用するようにクリップ力を高め、がたつきのないクリップを提供すること、又、周方向の遊動を無くし抜脱の恐れのないクリップを提供することにある。当該考案の係止鉤は本願発明に於ける返しと似ている面があるが取り付け孔内壁に接する係止鉤は「上部の係止鉤３は取り付け孔７内に嵌入されると内側へ押しすぼめられるため、下部係止鉤４は分岐点８を支点に矢印イの方向に拡開する力を生じる。」という記載があり、取り付け孔内壁に係止鉤が食い込んで係止するものではない。「下部係止鉤は上部係止鉤のＶ字部の途中より分岐」するなど、構成も複雑である。
【０００５】
前記考案の明細書中（作用及び効果）の記載によれば前述の通り、「分岐点８を支点に矢印イの方向に拡開する力を生じ」下部係止鉤４の先端は４ｂベースプレート５の下面５’を下から上向きに押圧することになっている。前記考案第１図及び２図に於いて矢印イの方向に向う力を生じさせるためには、係止鉤３を本体中心軸方向に向かってすぼめる力を加える必要がある。図２の如く取り付け孔７に嵌入した状態で新たな力を加えるということは本体クリップを横にずらした場合のみであり、その場合片側が締め付けられると反対側は緩めるような力を発揮することになる。
【０００６】
又、係止鉤４がすぼめられた状態から周方向に拡張するのは開始鉤の先端４ｂが取り付け孔７から抜け出した時点からであり、前記拡張によってベースプレート５と被取り付け物６を締結するものとは思われない。そうしてみると、前記考案は取り付け孔中でのがたつきを無くして安定した取り付け状態を維持するためのものであって、強い力でベースプレート５と被取り付け物６を締結するものではないと思われる。基盤上に取り付け物を確実に固定できる振動によってゆるみの生じない固定具が望まれる。
【０００７】
【特許文献２】特開平９−７９２３８
特開平９−７９２３８に示された発明は「複数枚の板材を締結するリベットにおいて、先端に鍔部を有する筒部と、前記筒部の先端部で延出し対向する第１の支持部と第２の支持部と、弾性を有する前記第１の支持部と第２の支持部に設けた前記筒部の内側にやや突出する第１の凸部と第２の凸部と、前記第１の支持部と第２の支持部を連結する弾性を有する連結部と、前記連結部の両端には前記板材を係止する第１の係止部と第２の係止部を具備することを特徴とするリベット。」である。
【０００８】
前記発明によれば、基盤と取り付け物を締結するための強い力が得られ、接合が確実に行われる。支持部及び連結部が弾性を有していることから第１の支持部と第２の支持部を押し広げ係止部を作用させるためには前記第１の支持部と第２の支持部を押し広げるための芯部を第１の凸部と第２の凸部の間に挿入したままにして、固定する必要があり、部品が複数となり、構成も複雑である。単純な構成で安価に製造でき、基盤上に素材を確実に接合でき、振動によってゆるみの生じない固定具が望まれる。
【０００９】
【発明が解決しようとする課題】
単純な構成で安価に製造でき、基盤上に取り付け物を確実に固定でき、振動によってゆるみの生じない固定具を提供すること。
【００１０】
【課題を解決するための手段】
固定対象基盤の挿入穴に挿入あるいは固定対象基盤への打ち込み可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込んで固定部によってを前記取り付け物を基盤に押圧し、当該基盤と前記取り付け物と固定部の内の少なくとも一つが有する弾性によって打ち込んだ前記本体胴部を引き戻す力を発揮させ、前記返しを前記基盤に食い込ませるか掛着させることで、前記基盤上に前記取り付け物を取り付け可能としたことを特徴とする返しを有する固定具を供する。
【００１１】
前記固定具の全体が、弾性を有する硬質材によって構成された請求項１に記載した返しを有する固定具を供する。
【００１２】
前記胴部の中心軸と、前記胴部最上端と前記固定部の最下端を結ぶ線によって形成される角が鋭角である固定具であり、前記本体胴部を基盤に打ち込むか挿入した際に固定部にゆがみを生じさせ、当該ゆがみを元に戻そうとして前記本体胴部を引き戻す力を発揮させ、前記返しを前記基盤に食い込ませるか掛着させることで、前記基盤上に前記取り付け物を取り付け可能としたことを特徴とする請求項１と２のいずれかに記載した返しを有する固定具を供する。
【００１３】
前記本体が硬質の板材であり、本体胴部に返しを形成可能に切り込みを入れて切り込み部を形成し、この切り込み部を曲折突起させることで返しを形成した請求項１と２と３のいずれかに記載した返しを有する固定具を供する。
【００１４】
前記本体の側端部に斜め下方に向って切れ込みを複数設け、複数の切り込み部を本体胴部の中心軸から離れるように曲折突起させて複数の返しを形成した請求項１と２と３と４のいずれかに記載した返しを有する固定具を供する。
【００１５】
前記本体胴部の上下両端をそれぞれ侵入部先端とし、前記それぞれの侵入部先端から前記本体胴部の上下の中央方向に向かって返しを設けた返しを有する固定具を供する。
【００１６】
【発明の実施の形態】
発明の実施の形態について図を用いて説明する。
図１は実施例１の斜視図であり、硬質の棒状体で構成された本体胴部１の上端に固定部２を構成し、下端を侵入部先端３とし、当該先端もしくは本体胴部１に返し４を形成した固定具である。
【００１７】
図２は実施例１の作用図である。図Ａは基盤５上に取り付け物６を裁置し、その上から前記侵入部先端３を打ち込んで固定部２によってを前記取り付け物６を基盤５に押圧した状態を表している。当該図Ａは取り付け物６及び固定部２が弾性を発揮し、固定部２のゆがみ２０と取り付け物物６のゆがみ６０が生じた例である。図Ｂは前記取り付け物６と前記固定部２の弾性によって、図Ａに於ける前記固定部２と取り付け物６が形状を復元して前記基盤５に打ち込んだ前記本体胴部１を引き戻し、前記返し４を前記基盤５に食い込ませることで、前記基盤上５に前記取り付け物６を取り付けた状態を表している。
【００１８】
図３は実施例２の斜視図であり、弾性を有する硬質の棒状体で構成された本体胴部１の上端に固定部２を構成し、下端を侵入部先端３とし、当該侵入部先端３もしくは本体胴部１に返し４を形成した返しを有する固定具である。固定部２はその中央である本体胴部最上端１１との接点から曲折して下方に向かい、本体胴部最上端１１と固定部の最下端２１とを結ぶ線と、胴部の中心線が形成する屈折角７が鋭角をなす。
【００１９】
図４は実施例２の使用状態を示す断面図である。基盤５上に取り付け物６を裁置し、その上から前記侵入部先端３を打ち込むと、一旦、両横に引き延ばされた固定部２が元の形状を復元することで、基盤５内に侵入した本体胴部１を引き戻し、返し４は基板内部で開くように力を発揮し、返し４を基板に食い込ませて固定を確実なものにする。
【００２０】
図５は実施例２における異なる使用状態の断面図である。基盤５が硬質であり、基板の穴５０が設けられ穴の側壁にネジ状の溝５１が形成されている。基盤５上に取り付け物６を裁置し、その上から前記侵入部先端３を打ち込むと、一旦、左右に引き延ばされた固定部２が元の形状を復元することで、基盤５内に侵入した本体胴部１を引き戻し、返し４の先端がネジ状の溝５１に掛着する。基板５が硬質であっても穴５０の側壁にネジ状の溝５１を形成することで、柔軟性あるいは可塑性を有している基板５に使用する本願返しを有する固定具の使用が可能となる。
【００２１】
図６は返し４の先端部の様々な形状を表した斜視図である。図Ａは先端部Ａ４１を持つ返し４のの斜視図であり、もっとも一般的に使用され、基板に先端Ａ４１を食い込ませ易い。図Ｂは先端部Ｂ４２を持つ返し４のの斜視図であり、先端部４２は先端Ａ４１よりも鈍化しており、基板５が柔軟性あるいは可塑性に富んでいる場合に使用される。図Ｃは先端部Ｃ４３を持つ返し４のの斜視図であり、先端部Ｂ４２よりも先端部が更に鈍化している。基板５が更に柔軟性あるいは可塑性に富んでいる場合や、穴の外に突出すること等に対する安全上の配慮等から使用される。
【００２２】
図７は実施例３の斜視図であり、弾性を有する硬質の板状体で構成された本体胴部１の上端を屈折させて屈折部Ａ７１を形成し、屈折部Ａ７１の上部を固定部２とし、屈折部Ａ７１の下部を本体胴部Ｂ１０とし、下端を侵入部先端３とする。当該先端もしくは本体胴部Ｂ１０に返し４を形成した固定具の例である。
【００２３】
ここでは、実施上の具体策として前記本体胴部Ｂ１０を鋼板とし、前記固定部２を前記本体胴部Ｂ１０である鋼板の一端を屈折部Ａ７１で曲折させることで形成し、このことで生じる屈折角７が鋭角であるか、当該固定部２の先端を下方に屈折あるいは下方向に突起させて、本体胴部１の中心軸と、前記本体胴部１の最上端１１と前記固定部２の最下端を結ぶ線によって形成される角である屈折角７が鋭角である固定具とし、基板内に打ち込むか挿入した際に固定部２にゆがみを生じさせ、当該ゆがみを元に戻そうとして前記本体胴部Ｂ１０を引き戻す力を与えた固定具を提示する。
【００２４】
また、本体胴部Ｂ１０に切り込み８を形成することで屈折部Ｂ７２より屈折可能とし、切り込み部８１の先端を本体胴部Ｂ１０から引き離して立ち上げ、返し４とし、上端部は複数に分割して屈折部Ａ７１で前後方向に曲折させ、固定部２とする固定具を提示する。鋼板を使用することで本体胴部Ｂ１０の上端部を曲折し固定部２が形成しやすく、固定部２の弾性により本体胴部Ｂ１０を引き戻す力も得やすい、かさばらずに扱いやすい固定具が実現する。
【００２５】
図８は実施例４の斜視図である。実施上の具体策として、前記本体胴部Ｂ１０を鋼板とし、当該本体胴部Ｂ１０の側端部に斜め下方に向かう複数の切れ込み８を入れ、当該複数の切れ込み８よって生じた複数の鋭角を有する切り込み部８１を本体胴部Ｂ１０の中心軸から離れるように前後方向に曲折させて複数の返し４を形成した固定具を提示した例である。返し４を多数設けることが可能であり、そのことで基板５への係止力が高まり、固定を確実なものにすることができる。
【００２６】
図９は実施例４の使用の状態を示す一部断面を含む斜視図である。基板５及び取り付け物６に本願固定具を打ち込むと固定部２が横方向に押し広げられ、本体胴部Ｂ１０が基板５及び取り付け物６内に侵入する。ついで、固定部２が形状を復元しようとして本体胴部Ｂ１０を引き戻すと返し４の先端は基板５あるいは取り付け物６に刺さることで基板５に取り付け物６を固定する。返しの数４が複数であることから返し４の先端にかかる力を分散させることが可能で固定能力を高めることができる。
【００２７】
図１０は実施例４の使用状態の異なる場合の一部断面を含む斜視図である。基盤５が硬質であり、基板の穴５０が設けられている。基盤５上に取り付け物６を裁置し、その上から前記侵入部先端３を打ち込むと、基板５が硬質であることから返し４の先端は基板の穴５０の側壁には刺さることも掛着することも出来ず、開けない状態の返し４４として基板の穴５０の内部に留まる。
【００２８】
本体胴部Ｂ１０が基板５を貫通し、穴５０の外に出た状態で返し４は本体胴部Ｂ１０から離れるように拡がる。一旦、左右に引き延ばされた固定部２が元の形状を復元することで、基盤５内に侵入した本体胴部１０を引き戻すと穴５０の外の返し４は変形しながら、外で開いた状態の返し４５となって前記引き戻すことを阻止する。以上のことで取り付け物６は基板５に固定され、柔軟性あるいは可塑性を有している基板５に使用するための本願返しを有する固定具が硬質の基板に対しても使用可能となる。
【００２９】
図１１は実施例５の斜視図であり、実施上の具体策として、前記本体胴部Ｂ１０を鋼板で形成し、当該本体胴部Ｂ１０に縦方向の折り目を設け屈折部Ｃ７３とした固定具を提示したものである。本体胴部Ｂ１０の上端部を屈折部Ａ７１で外側に折り返し、固定部２とする。本体胴部Ｂ１０のの側部に返し４を形成する。その効果に実施例４との大きな差異はないが前記本体胴部Ｂ１０に使用する鋼板が薄いものであっても横方向への曲げ強度を強くすることができる。
【００３０】
図１２は実施例６の斜視図であり、実施上の具体策として、前記本体胴部Ｂ１０を鋼板とし、当該鋼板の中央部で二つ折りにし、屈折部Ｄ７４を形成して前記鋼板の中央部を侵入部先端３とした本体胴部Ｂ１０が２枚合わせになった返しを有する固定具の例を提示したものである。実施例３とその効果に大きな差異はないが二枚の本体胴部Ｂ１０が左右方向への弾力を有しているため、本体胴部Ｂ１０を基板あるいは取り付け物の有する穴に挿入した際、本体胴部Ｂ１０が穴の側壁に圧着して安定する。返し４も左右方向への弾力を有するため、穴の径に多少の不揃いがあっても上記弾性がこれを解消する。
【００３１】
図１３は実施例７の斜視図であり、実施上の具体策として、前記本体胴部Ｂ１０を鋼板とし、固定部２の側面２カ所で折り返して屈折部Ｅ７５とし、本体胴部が２枚合わせになった返しを有する固定具を提示したものである。実施例４とその効果に大きな差異はないが二枚の本体胴部Ｂ１０が２枚合わせで左右方向への弾力を有しているため、本体胴部Ｂ１０に複数の返しを設けた場合、実施例４に比べ、返し４の数を２倍にして形成可能であり、ほぼ２倍の係止力が生じる。基板の材質にもろさがあるような場合に返し４にかかる力を分散する効果が高まる。
【００３２】
図１４は実施例８の斜視図であり、前記本体胴部Ｂ１０が一枚の鋼板であって、上下それぞれの先端である侵入部先端３と侵入部先端Ｂ３１から本体胴部Ｂ１０の上下の中央方向に向かって返し４を設けた返しを有する固定具の例である。上下をほぼ対照形として形成可能であるため、上下の区別なく使用可能であり、使用に当たっての利便性が高い。なお「ほぼ対照形」の語意は似た形状を意味し、厳密な意味での対照形を意味するものではない。
【００３３】
図１５は実施例８の使用の状態を示す一部断面を含む斜視図である。基板５に取り付け物６を裁置し、本願固定具を打ち込むと下部に位置する返し４は基板５及び取り付け物６に侵入し、上部に位置する返しＢ４０は取り付け物６に突き刺さり、多少周囲の取り付け物６を傷つけながら横方向に押し広げらる。返しＢ４０は本体胴部Ｂ１０を侵入部先端Ｂに向かって引き戻すように弾力を発揮して固定部としての役割を果たし、基板５に取り付け物６を固定する。以上により、上下の区別のない返しを有する固定具が実現できる。
【００３４】
【発明の効果】
本発明は固定対象基盤の挿入穴に挿入あるいは固定対象基盤への打ち込み可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込んで固定部によってを前記取り付け物を基盤に押圧し、当該基盤と前記取り付け物と固定部の内の少なくとも一つが有する弾性によって打ち込んだ前記本体胴部を引き戻す力を発揮させ、前記返しを前記基盤に食い込ませるか掛着させることで、前記基盤上に前記取り付け物を取り付け可能としたことを特徴とする返しを有する固定具であるため次の効果を奏する。
【００３５】
非常に単純な構成で安価に製造でき、基盤上に取り付け物を確実に接合でき、振動によってゆるみの生じない固定具を実現できる。
【００３６】
前記固定具の全体が、弾性を有する硬質材によって構成された返しを有する固定具であるため次の効果を奏する。
【００３７】
固定部及び返しに弾性を持たせることができることから、本体胴部を引き戻す力を発生させやすく、返しを基板内部で開くように力を発揮させ、返しを基板に食い込ませて固定を確実なものにできる。
【００３８】
前記胴部の中心軸と、前記胴部最上端と前記固定部の最下端を結ぶ線によって形成される角が鋭角である固定具であり、前記本体胴部を基盤に打ち込むか挿入した際に固定部にゆがみを生じさせ、当該ゆがみを元に戻そうとして前記本体胴部を引き戻す力を発揮させ、前記返しを前記基盤に食い込ませるか掛着させることで、前記基盤上に前記取り付け物を取り付け可能としたことを特徴とする返しを有する固定具であるため次の効果を奏する。
【００３９】
本体胴部を引き戻す力の発生が確実なものとなり、引き戻しの距離を長くすることができるため、振動によって返しが基板に食い込んでも引き戻しの効果を発揮し続けることが可能であり、振動下での固定を確実にできる。
【００４０】
前記本体が硬質の板材であり、本体胴部に返しを形成可能に切り込みを入れて切り込み部を形成し、この切り込み部を曲折突起させることで返しを形成した返しを有する固定具であるため次の効果を奏する。
【００４１】
鋼板を使用することで、胴部の上端部を曲折し固定部を形成することが容易となり、かさばらずに扱いやすい固定具が実現する。
【００４２】
前記本体の側端部に斜め下方に向って切れ込みを複数設け、複数の切り込み部を本体胴部の中心軸から離れるように曲折突起させて複数の返しを形成した返しを有する固定具であるため次の効果を奏する。
【００４３】
返し４を多数設けることが可能であり、そのことで基板５への係止力が高まり、固定を確実なものにすることができる。
【００４４】
前記本体胴部の上下両端をそれぞれ侵入部先端とし、前記それぞれの侵入部先端から前記本体胴部の上下の中央方向に向かって返しを設けた返しを有する固定具であるため次の効果を奏する。
【００４５】
上下をほぼ対照形として形成可能であるため、上下の区別なく使用可能であり、使用に当たっての利便性が高まる。
【図面の簡単な説明】
【図１】実施例１の斜視図である。
【図２】実施例１の作用図である。
【図３】実施例２の斜視図である。
【図４】実施例２の使用状態を示す断面図である。
【図５】図５は実施例２における異なる使用状態の断面図である。
【図６】返しの先端部の形状を表した斜視図である。
【図７】実施例３の斜視図である。
【図８】実施例４の斜視図である。
【図９】実施例４の使用の状態を示す一部断面を含む斜視図である。
【図１０】実施例４の異なる使用状態の一部断面を含む斜視図である。
【図１１】実施例５の斜視図である。
【図１２】実施例６の斜視図である。
【図１３】実施例７の斜視図である。
【図１４】実施例８の斜視図である。
【図１５】実施例８の使用の状態を示す一部断面を含む斜視図である。
【符号の説明】
１  本体胴部
１０  胴部Ｂ
１１  本体胴部最上端
２  固定部
２０  固定部のゆがみ
３  侵入部先端
３１  侵入部先端Ｂ
４  返し４
４０  返しＢ
４１  先端部Ａ
４２  先端部Ｂ
４３  先端部Ｃ
４４  開けない状態の返し
４５  外で開いた状態の返し
５  基盤
５０  基板の穴
５１  溝
６  取り付け物
６０  取り付け物のゆがみ
７  屈折角
７１  屈折部Ａ
７２  屈折部Ｂ
７３  屈折部Ｃ
７４  屈折部Ｄ
７５  屈折部Ｅ
８  切り込み
８１  切り込み部
【図１】
2004316764.tif 000003
【図２】
2004316764.tif 000004
【図３】
2004316764.tif 000005
【図４】
2004316764.tif 000006
【図５】
2004316764.tif 000007
【図６】
2004316764.tif 000008
【図７】
2004316764.tif 000009
【図８】
2004316764.tif 000010
【図９】
2004316764.tif 000011
【図１０】
2004316764.tif 000012
【図１１】
2004316764.tif 000013
【図１２】
2004316764.tif 000014
【図１３】
2004316764.tif 000015
【図１４】
2004316764.tif 000016
【図１５】
2004316764.tif 000017
【手続補正書】
【提出日】平成15年12月8日(2003.12.8)
【手続補正１】
【補正対象書類名】明細書
【補正対象項目名】全文
【補正方法】変更
【補正の内容】
【特許請求の範囲】
【請求項１】固定対象基盤の挿入穴に挿入可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込み、固定部によって前記取り付け物を前記基盤に押圧し、当該基盤と前記取り付け物と固定部の内の少なくとも一つが有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具。
【請求項２】前記本体が硬質の板材であり、本体胴部に返しを形成可能に切り込みを入れて切り込み部を形成し、この切り込み部を曲折突起させることで返しを形成した請求項１に記載した返しを有する固定具。
【請求項３】前記硬質の板材の横の長さを縦方向に分割するように折り曲げた構成である請求項２に記載した返しを有する固定具。
【請求項４】前記硬質の板材の縦の長さを分割するように折り曲げて二枚合わせとなった構成である請求項２に記載した返しを有する固定具。
【請求項５】前記本体の側端部に斜め下方に向って切れ込みを複数設け、複数の切り込み部を本体胴部の中心軸から離れるように曲折突起させて複数の返しを形成した請求項１と２と３と４のいずれかに記載した返しを有する固定具。
【請求項６】前記本体胴部の上下両端をそれぞれ侵入部先端とし、前記それぞれの侵入部先端から前記本体胴部の上下の中央方向に向かって返しを設けた請求項１と２と４と５のいずれかに記載した返しを有する固定具。
【発明の詳細な説明】
【０００１】
【発明が属する技術分野】
基盤上に物を取り付けるための固定具に関するものである。
【０００２】
【従来の技術】
従来より、振動を有する器物に部品等を接合する場合に振動によってゆるみが生じないための様々なネジ、鋲等が発明考案されてきた。振動に伴ってネジをゆるませないための一例に、雄ネジの一部を切り欠いて雌ねじに食い込ませ逆回転を防ごうとするもの、一つは雄ネジに二重の山を形成して弾力を持たせ、雌ネジとの密着性を高めることで逆回転を防ごうとするもの等が挙げられる。しかしながら、ネジである以上逆方向の回転を完全に防ぐことには無理があり、十分な効果を上げてこなかった。
【０００３】
【特許文献１】公開実用新案公報昭６１−１９３２１５
前記ネジの逆回転を防止する物に対し、クリップ・鋲等によって前後から押さえ込みことで接合を図ろうとする物がある。公開実用新案公報昭６１−１９３２１５に示された考案は「固定部を有する軸 と、その軸 の先端に一体に設けられて弾性的に拡張する上下２つの係止鉤とよりなり、上下係止鉤は取り付け孔内壁に保有弾力に抗して逆止的に掛着するＶ字形を呈し、下部係止鉤は上部係止鉤のＶ字部の途中より分岐して取り付け孔の出口側板面係止するよう左右両即にＶ字形を呈して一体成形してなることを特徴とする」クリップである。
【０００４】
上記考案の目的は弾圧的に作用するようにクリップ力を高め、がたつきのないクリップを提供すること、又、周方向の遊動を無くし抜脱の恐れのないクリップを提供することにある。当該考案の係止鉤は本願発明に於ける返しと似ている面があるが取り付け孔内壁に接する係止鉤は「上部の係止鉤３は取り付け孔７内に嵌入されると内側へ押しすぼめられるため、下部係止鉤４は分岐点８を支点に矢印イの方向に拡開する力を生じる。」という記載があり、取り付け孔内壁に係止鉤が食い込んで係止するものではない。「下部係止鉤は上部係止鉤のＶ字部の途中より分岐」するなど、構成も複雑である。
【０００５】
前記考案の明細書中（作用及び効果）の記載によれば前述の通り、「分岐点８を支点に矢印イの方向に拡開する力を生じ」下部係止鉤４の先端は４ｂベースプレート５の下面５’を下から上向きに押圧することになっている。前記考案第１図及び２図に於いて矢印イの方向に向う力を生じさせるためには、係止鉤３を本体中心軸方向に向かってすぼめる力を加える必要がある。図２の如く取り付け孔７に嵌入した状態で新たな力を加えるということは本体クリップを横にずらした場合のみであり、その場合片側が締め付けられると反対側は緩めるような力を発揮することになる。
【０００６】
又、係止鉤４がすぼめられた状態から周方向に拡張するのは開始鉤の先端４ｂが取り付け孔７から抜け出した時点からであり、前記拡張によってベースプレート５と被取り付け物６を締結するものとは思われない。そうしてみると、前記考案は取り付け孔中でのがたつきを無くして安定した取り付け状態を維持するためのものであって、強い力でベースプレート５と被取り付け物６を締結するものではないと思われる。基盤上に取り付け物を確実に固定できる振動によってゆるみの生じない固定具が望まれる。
【０００７】
【特許文献２】特開平９−７９２３８
特開平９−７９２３８に示された発明は「複数枚の板材を締結するリベットにおいて、先端に鍔部を有する筒部と、前記筒部の先端部で延出し対向する第１の支持部と第２の支持部と、弾性を有する前記第１の支持部と第２の支持部に設けた前記筒部の内側にやや突出する第１の凸部と第２の凸部と、前記第１の支持部と第２の支持部を連結する弾性を有する連結部と、前記連結部の両端には前記板材を係止する第１の係止部と第２の係止部を具備することを特徴とするリベット。」である。
【０００８】
前記発明によれば、基盤と取り付け物を締結するための強い力が得られ、接合が確実に行われる。支持部及び連結部が弾性を有していることから第１の支持部と第２の支持部を押し広げ係止部を作用させるためには前記第１の支持部と第２の支持部を押し広げるための芯部を第１の凸部と第２の凸部の間に挿入したままにして、固定する必要があり、部品が複数となり、構成も複雑である。単純な構成で安価に製造でき、基盤上に素材を確実に接合でき、振動によってゆるみの生じない固定具が望まれる。
【０００９】
【発明が解決しようとする課題】
単純な構成で安価に製造でき、基盤上に取り付け物を確実に固定でき、振動によってゆるみの生じない固定具を提供すること。
【００１０】
【課題を解決するための手段】
固定対象基盤の挿入穴に挿入可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込み、固定部によって前記取り付け物を前記基盤に押圧し、当該基盤と前記取り付け物と固定部の内の少なくとも一つが有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具を供する。
【００１１】
前記本体が硬質の板材であり、本体胴部に返しを形成可能に切り込みを入れて切り込み部を形成し、この切り込み部を曲折突起させることで返しを形成した返しを有する固定具を供する。
【００１２】
前記硬質の板材の横の長さを縦方向に分割するように折り曲げた構成である返しを有する固定具を供する。
【００１３】
前記硬質の板材の縦の長さを分割するように折り曲げて二枚合わせとなった構成である返しを有する固定具を供する。
【００１４】
前記本体の側端部に斜め下方に向って切れ込みを複数設け、複数の切り込み部を本体胴部の中心軸から離れるように曲折突起させて複数の返しを形成した返しを有する固定具を供する。
【００１５】
前記本体胴部の上下両端をそれぞれ侵入部先端とし、前記それぞれの侵入部先端から前記本体胴部の上下の中央方向に向かって返しを設けた固定具を供する。
【００１６】
【発明の実施の形態】
発明の実施の形態について図を用いて説明する。
図１は実施例１の斜視図であり、硬質の棒状体で構成された本体胴部１の上端に固定部２を構成し、下端を侵入部先端３とし、当該先端もしくは本体胴部１に返し４を形成した固定具である。
【００１７】
図２は実施例１の作用図である。図Ａは基盤５上に取り付け物６を裁置し、その上から前記侵入部先端３を打ち込んで固定部２によってを前記取り付け物６を基盤５に押圧した状態を表している。当該図Ａは取り付け物６及び固定部２が弾性を発揮し、固定部２のゆがみ２０と取り付け物物６のゆがみ６０が生じた例である。図Ｂは前記取り付け物６と前記固定部２の弾性によって、図Ａに於ける前記固定部２と取り付け物６が形状を復元して前記基盤５に打ち込んだ前記本体胴部１を引き戻し、前記返し４を前記基盤５に食い込ませることで、前記基盤上５に前記取り付け物６を取り付けた状態を表している。
【００１８】
図３は実施例２の斜視図であり、弾性を有する硬質の棒状体で構成された本体胴部１の上端に固定部２を構成し、下端を侵入部先端３とし、当該侵入部先端３もしくは本体胴部１に返し４を形成した返しを有する固定具である。固定部２はその中央である本体胴部最上端１１との接点から曲折して下方に向かい、本体胴部最上端１１と固定部の最下端２１とを結ぶ線と、胴部の中心線が形成する屈折角７が鋭角をなす。
【００１９】
図４は実施例２の使用状態を示す断面図である。基盤５上に取り付け物６を裁置し、その上から前記侵入部先端３を打ち込むと、一旦、両横に引き延ばされた固定部２が元の形状を復元することで、基盤５内に侵入した本体胴部１を引き戻し、返し４は基板内部で開くように力を発揮し、返し４を基板に食い込ませて固定を確実なものにする。
【００２０】
図５は実施例２における異なる使用状態の断面図である。基盤５が硬質であり、基板の穴５０が設けられ穴の側壁にネジ状の溝５１が形成されている。基盤５上に取り付け物６を裁置し、その上から前記侵入部先端３を打ち込むと、一旦、左右に引き延ばされた固定部２が元の形状を復元することで、基盤５内に侵入した本体胴部１を引き戻し、返し４の先端がネジ状の溝５１に掛着する。基板５が硬質であっても穴５０の側壁にネジ状の溝５１を形成することで、柔軟性あるいは可塑性を有している基板５に使用する本願返しを有する固定具の使用が可能となる。
【００２１】
図６は返し４の先端部の様々な形状を表した斜視図である。図Ａは先端部Ａ４１を持つ返し４のの斜視図であり、もっとも一般的に使用され、基板に先端Ａ４１を食い込ませ易い。図Ｂは先端部Ｂ４２を持つ返し４のの斜視図であり、先端部４２は先端Ａ４１よりも鈍化しており、基板５が柔軟性あるいは可塑性に富んでいる場合に使用される。図Ｃは先端部Ｃ４３を持つ返し４のの斜視図であり、先端部Ｂ４２よりも先端部が更に鈍化している。基板５が更に柔軟性あるいは可塑性に富んでいる場合や、穴の外に突出すること等に対する安全上の配慮等から使用される。
【００２２】
図７は実施例３の斜視図であり、弾性を有する硬質の板状体で構成された本体胴部１の上端を屈折させて屈折部Ａ７１を形成し、屈折部Ａ７１の上部を固定部２とし、屈折部Ａ７１の下部を本体胴部Ｂ１０とし、下端を侵入部先端３とする。当該先端もしくは本体胴部Ｂ１０に返し４を形成した固定具の例である。
【００２３】
ここでは、実施上の具体策として前記本体胴部Ｂ１０を鋼板とし、前記固定部２を前記本体胴部Ｂ１０である鋼板の一端を屈折部Ａ７１で曲折させることで形成し、このことで生じる屈折角７が鋭角であるか、当該固定部２の先端を下方に屈折あるいは下方向に突起させて、本体胴部１の中心軸と、前記本体胴部１の最上端１１と前記固定部２の最下端を結ぶ線によって形成される角である屈折角７が鋭角である固定具とし、基板内に打ち込むか挿入した際に固定部２にゆがみを生じさせ、当該ゆがみを元に戻そうとして前記本体胴部Ｂ１０を引き戻す力を与えた固定具を提示する。
【００２４】
また、本体胴部Ｂ１０に切り込み８を形成することで屈折部Ｂ７２より屈折可能とし、切り込み部８１の先端を本体胴部Ｂ１０から引き離して立ち上げ、返し４とし、上端部は複数に分割して屈折部Ａ７１で前後方向に曲折させ、固定部２とする固定具を提示する。鋼板を使用することで本体胴部Ｂ１０の上端部を曲折し固定部２が形成しやすく、固定部２の弾性により本体胴部Ｂ１０を引き戻す力も得やすい、かさばらずに扱いやすい固定具が実現する。
【００２５】
図８は実施例４の斜視図である。実施上の具体策として、前記本体胴部Ｂ１０を鋼板とし、当該本体胴部Ｂ１０の側端部に斜め下方に向かう複数の切れ込み８を入れ、当該複数の切れ込み８よって生じた複数の鋭角を有する切り込み部８１を本体胴部Ｂ１０の中心軸から離れるように前後方向に曲折させて複数の返し４を形成した固定具を提示した例である。返し４を多数設けることが可能であり、そのことで基板５への係止力が高まり、固定を確実なものにすることができる。
【００２６】
図９は実施例４の使用の状態を示す一部断面を含む斜視図である。基板５及び取り付け物６に本願固定具を打ち込むと固定部２が横方向に押し広げられ、本体胴部Ｂ１０が基板５及び取り付け物６内に侵入する。ついで、固定部２が形状を復元しようとして本体胴部Ｂ１０を引き戻すと返し４の先端は基板５あるいは取り付け物６に刺さることで基板５に取り付け物６を固定する。返しの数４が複数であることから返し４の先端にかかる力を分散させることが可能で固定能力を高めることができる。
【００２７】
図１０は実施例４の使用状態の異なる場合の一部断面を含む斜視図である。基盤５が硬質であり、基板の穴５０が設けられている。基盤５上に取り付け物６を裁置し、その上から前記侵入部先端３を打ち込むと、基板５が硬質であることから返し４の先端は基板の穴５０の側壁には刺さることも掛着することも出来ず、開けない状態の返し４４として基板の穴５０の内部に留まる。
【００２８】
本体胴部Ｂ１０が基板５を貫通し、穴５０の外に出た状態で返し４は本体胴部Ｂ１０から離れるように拡がる。一旦、左右に引き延ばされた固定部２が元の形状を復元することで、基盤５内に侵入した本体胴部１０を引き戻すと穴５０の外の返し４は変形しながら、外で開いた状態の返し４５となって前記引き戻すことを阻止する。以上のことで取り付け物６は基板５に固定され、柔軟性あるいは可塑性を有している基板５に使用するための本願返しを有する固定具が硬質の基板に対しても使用可能となる。
【００２９】
図１１は実施例５の斜視図であり、実施上の具体策として、前記本体胴部Ｂ１０を鋼板で形成し、当該本体胴部Ｂ１０に縦方向の折り目を設け屈折部Ｃ７３とした固定具を提示したものである。本体胴部Ｂ１０の上端部を屈折部Ａ７１で外側に折り返し、固定部２とする。本体胴部Ｂ１０のの側部に返し４を形成する。その効果に実施例４との大きな差異はないが前記本体胴部Ｂ１０に使用する鋼板が薄いものであっても横方向への曲げ強度を強くすることができる。
【００３０】
図１２は実施例６の斜視図であり、実施上の具体策として、前記本体胴部Ｂ１０を鋼板とし、当該鋼板の中央部で二つ折りにし、屈折部Ｄ７４を形成して前記鋼板の中央部を侵入部先端３とした本体胴部Ｂ１０が２枚合わせになった返しを有する固定具の例を提示したものである。実施例３とその効果に大きな差異はないが二枚の本体胴部Ｂ１０が左右方向への弾力を有しているため、本体胴部Ｂ１０を基板あるいは取り付け物の有する穴に挿入した際、本体胴部Ｂ１０が穴の側壁に圧着して安定する。返し４も左右方向への弾力を有するため、穴の径に多少の不揃いがあっても上記弾性がこれを解消する。
【００３１】
図１３は実施例７の斜視図であり、実施上の具体策として、前記本体胴部Ｂ１０を鋼板とし、固定部２の側面２カ所で折り返して屈折部Ｅ７５とし、本体胴部が２枚合わせになった返しを有する固定具を提示したものである。実施例４とその効果に大きな差異はないが二枚の本体胴部Ｂ１０が２枚合わせで左右方向への弾力を有しているため、本体胴部Ｂ１０に複数の返しを設けた場合、実施例４に比べ、返し４の数を２倍にして形成可能であり、ほぼ２倍の係止力が生じる。基板の材質にもろさがあるような場合に返し４にかかる力を分散する効果が高まる。
【００３２】
図１４は実施例８の斜視図であり、前記本体胴部Ｂ１０が一枚の鋼板であって、上下それぞれの先端である侵入部先端３と侵入部先端Ｂ３１から本体胴部Ｂ１０の上下の中央方向に向かって返し４を設けた返しを有する固定具の例である。上下をほぼ対照形として形成可能であるため、上下の区別なく使用可能であり、使用に当たっての利便性が高い。なお「ほぼ対照形」の語意は似た形状を意味し、厳密な意味での対照形を意味するものではない。
【００３３】
図１５は実施例８の使用の状態を示す一部断面を含む斜視図である。基板５に取り付け物６を裁置し、本願固定具を打ち込むと下部に位置する返し４は基板５及び取り付け物６に侵入し、上部に位置する返しＢ４０は取り付け物６に突き刺さり、多少周囲の取り付け物６を傷つけながら横方向に押し広げらる。返しＢ４０は本体胴部Ｂ１０を侵入部先端Ｂに向かって引き戻すように弾力を発揮して固定部としての役割を果たし、基板５に取り付け物６を固定する。以上により、上下の区別のない返しを有する固定具が実現できる。
【００３４】
【発明の効果】
本発明は固定対象基盤の挿入穴に挿入可能な硬質の棒状体もしくは板状体で構成され、本体胴部の上端に固定部を構成し、下端を侵入部先端とし、当該先端もしくは本体胴部に返しを形成した固定具であり、前記基盤上に取り付け物を裁置し、その上から前記侵入部を打ち込み、固定部によって前記取り付け物を前記基盤に押圧し、当該基盤と前記取り付け物と固定部の内の少なくとも一つが有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具であるため次の効果を奏する。
【００３５】
非常に単純な構成で安価に製造でき、基盤上に取り付け物を確実に接合でき、振動によってゆるみの生じない固定具を実現できる。
【００３６】
前記本体が硬質の板材であり、本体胴部に返しを形成可能に切り込みを入れて切り込み部を形成し、この切り込み部を曲折突起させることで返しを形成した返しを有する固定具であるため次の効果を奏する。
【００３７】
固定部及び返しに弾性を持たせることができることから、本体胴部を引き戻す力を発生させやすく、返しを基板内部で開くように力を発揮させ、返しを基板に食い込ませて固定を確実なものにできる。
【００３８】
前記硬質の板材の横の長さを縦方向に分割するように折り曲げた構成である返しを有する固定具であるため次の効果を奏する。
【００３９】
使用する鋼板が薄いものであっても横方向への折り曲げ強度を強くできる。
【００４０】
前記硬質の板材の縦の長さを分割するように折り曲げて二枚合わせとなった構成である返しを有する固定具であるため次の効果を奏する。
【００４１】
二枚の本体胴部が左右方向への弾力を有し、かつ、返しの数を増やすことが可能となって掛止力を高めることが可能となる。
【００４２】
前記本体の側端部に斜め下方に向って切れ込みを複数設け、複数の切り込み部を本体胴部の中心軸から離れるように曲折突起させて複数の返しを形成した返しを有する固定具であるため次の効果を奏する。
【００４３】
返しを多数設けることが可能であり、そのことで基板への係止力が高まり、固定を確実なものにすることができる。
【００４４】
前記本体胴部の上下両端をそれぞれ侵入部先端とし、前記それぞれの侵入部先端から前記本体胴部の上下の中央方向に向かって返しを設けた返しを有する固定具であるため次の効果を奏する。
【００４５】
上下をほぼ対照形として形成可能であるため、上下の区別なく使用可能であり、使用に当たっての利便性が高まる。
【図面の簡単な説明】
【図１】実施例１の斜視図である。
【図２】実施例１の作用図である。
【図３】実施例２の斜視図である。
【図４】実施例２の使用状態を示す断面図である。
【図５】実施例２における異なる使用状態の断面図である。
【図６】返しの先端部の形状を表した斜視図である。
【図７】実施例３の斜視図である。
【図８】実施例４の斜視図である。
【図９】実施例４の使用の状態を示す一部断面を含む斜視図である。
【図１０】実施例４の異なる使用状態の一部断面を含む斜視図である。
【図１１】実施例５の斜視図である。
【図１２】実施例６の斜視図である。
【図１３】実施例７の斜視図である。
【図１４】実施例８の斜視図である。
【図１５】実施例８の使用の状態を示す一部断面を含む斜視図である。
【符号の説明】
１  本体胴部
１０  胴部Ｂ
１１  本体胴部最上端
２  固定部
２０  固定部のゆがみ
３  侵入部先端
３１  侵入部先端Ｂ
４  返し４
４０  返しＢ
４１  先端部Ａ
４２  先端部Ｂ
４３  先端部Ｃ
４４  開けない状態の返し
４５  外で開いた状態の返し
５  基盤
５０  基板の穴
５１  溝
６  取り付け物
６０  取り付け物のゆがみ
７  屈折角
７１  屈折部Ａ
７２  屈折部Ｂ
７３  屈折部Ｃ
７４  屈折部Ｄ
７５  屈折部Ｅ
８  切り込み
８１  切り込み部




【手続補正書】
【提出日】平成16年6月1日(2004.6.1)
【手続補正１】
【補正対象書類名】明細書
【補正対象項目名】全文
【補正方法】変更
【補正の内容】
【特許請求の範囲】
【請求項１】単一の硬質弾性体による固定具であり、本体胴部の上端が左右に分かれて曲折することで固定部を構成し、前記本体胴部の側端部に斜め下方に向かう複数の切れ込みを入れて曲折起立させて揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具。
【請求項２】前記本体胴部を単一の硬質弾性体による板によって構成し、前記固定部が、本体胴部の上端を縦複数に分割し、該本体胴部の中心軸と、該本体胴部の最上端と前記固定部の最下端を結ぶ線によって形成される角である屈折角が鋭角になる様に前記本体胴部の上端を左右に開いて曲折したものとし、前記返しを本体胴部の側端部に斜め下方に向かう複数の切れ込みを入れて左右に開いて曲折させた揺動可能な返しとした請求項１記載の返しを有する固定具。
【請求項３】単一の硬質弾性体の板材の横の長さを縦方向に分割するように折り曲げた構成の固定具であり、本体胴部の上端を前記折り曲げ位置で縦に分割し、該本体胴部の中心軸と、該本体胴部の最上端と前記固定部の最下端を結ぶ線によって形成される角である屈折角が鋭角になる様に前記本体胴部の上端を左右に開いて曲折することで固定部を構成し、前記本体胴部の側端部に斜め下方に向かう複数の切れ込みを入れて外側に向かって曲折することで揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具。
【請求項４】単一の硬質弾性体による板材の縦の長さを２分割するように折り曲げて二枚合わせとなった本体胴部の上端を左右に曲折することで固定部を形成し、前記本体胴部の中心軸と、該本体胴部の最上端と前記固定部の最下端を結ぶ線によって形成される角である屈折角が鋭角になる様に構成し、前記本体胴部の側端部に斜め下方に向かう複数の切れ込みを入れて外側に曲折して揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具。
【発明の詳細な説明】
【０００１】
【発明が属する技術分野】
基盤上に物を取り付けるための固定具に関するものである。
【０００２】
【従来の技術】
従来より、振動を有する器物に部品等を接合する場合に振動によってゆるみが生じないための様々なネジ、鋲等が発明考案されてきた。振動に伴ってネジをゆるませないための一例に、雄ネジの一部を切り欠いて雌ねじに食い込ませ逆回転を防ごうとするもの、一つは雄ネジに二重の山を形成して弾力を持たせ、雌ネジとの密着性を高めることで逆回転を防ごうとするもの等が挙げられる。しかしながら、ネジである以上逆方向の回転を完全に防ぐことには無理があり、十分な効果を上げてこなかった。
【０００３】
【特許文献１】公開実用新案公報昭６１−１９３２１５
前記ネジの逆回転を防止する物に対し、クリップ・鋲等によって前後から押さえ込みことで接合を図ろうとする物がある。公開実用新案公報昭６１−１９３２１５に示された考案は「固定部を有する軸 と、その軸 の先端に一体に設けられて弾性的に拡張する上下２つの係止鉤とよりなり、上下係止鉤は取り付け孔内壁に保有弾力に抗して逆止的に掛着するＶ字形を呈し、下部係止鉤は上部係止鉤のＶ字部の途中より分岐して取り付け孔の出口側板面係止するよう左右両即にＶ字形を呈して一体成形してなることを特徴とする」クリップである。
【０００４】
上記考案の目的は弾圧的に作用するようにクリップ力を高め、がたつきのないクリップを提供すること、又、周方向の遊動を無くし抜脱の恐れのないクリップを提供することにある。当該考案の係止鉤は本願発明に於ける返しと似ている面があるが取り付け孔内壁に接する係止鉤は「上部の係止鉤３は取り付け孔７内に嵌入されると内側へ押しすぼめられるため、下部係止鉤４は分岐点８を支点に矢印イの方向に拡開する力を生じる。」という記載があり、取り付け孔内壁に係止鉤が食い込んで係止するものではない。「下部係止鉤は上部係止鉤のＶ字部の途中より分岐」するなど、構成も複雑である。
【０００５】
前記考案の明細書中（作用及び効果）の記載によれば前述の通り、「分岐点８を支点に矢印イの方向に拡開する力を生じ」下部係止鉤４の先端は４ｂベースプレート５の下面５’を下から上向きに押圧することになっている。前記考案第１図及び２図に於いて矢印イの方向に向う力を生じさせるためには、係止鉤３を本体中心軸方向に向かってすぼめる力を加える必要がある。図２の如く取り付け孔７に嵌入した状態で新たな力を加えるということは本体クリップを横にずらした場合のみであり、その場合片側が締め付けられると反対側は緩めるような力を発揮することになる。
【０００６】
又、係止鉤４がすぼめられた状態から周方向に拡張するのは開始鉤の先端４ｂが取り付け孔７から抜け出した時点からであり、前記拡張によってベースプレート５と被取り付け物６を締結するものとは思われない。そうしてみると、前記考案は取り付け孔中でのがたつきを無くして安定した取り付け状態を維持するためのものであって、強い力でベースプレート５と被取り付け物６を締結するものではないと思われる。基盤上に取り付け物を確実に固定できる振動によってゆるみの生じない固定具が望まれる。
【０００７】
【特許文献２】特開平９−７９２３８
特開平９−７９２３８に示された発明は「複数枚の板材を締結するリベットにおいて、先端に鍔部を有する筒部と、前記筒部の先端部で延出し対向する第１の支持部と第２の支持部と、弾性を有する前記第１の支持部と第２の支持部に設けた前記筒部の内側にやや突出する第１の凸部と第２の凸部と、前記第１の支持部と第２の支持部を連結する弾性を有する連結部と、前記連結部の両端には前記板材を係止する第１の係止部と第２の係止部を具備することを特徴とするリベット。」である。
【０００８】
前記発明によれば、基盤と取り付け物を締結するための強い力が得られ、接合が確実に行われる。支持部及び連結部が弾性を有していることから第１の支持部と第２の支持部を押し広げ係止部を作用させるためには前記第１の支持部と第２の支持部を押し広げるための芯部を第１の凸部と第２の凸部の間に挿入したままにして、固定する必要があり、部品が複数となり、構成も複雑である。単純な構成で安価に製造でき、基盤上に素材を確実に接合でき、振動によってゆるみの生じない固定具が望まれる。
【０００９】
【発明が解決しようとする課題】
単純な構成で安価に製造でき、基盤上に取り付け物を確実に固定でき、振動によってゆるみの生じない固定具を提供すること。
【００１０】
【課題を解決するための手段】
単一の硬質弾性体による固定具であり、本体胴部の上端が左右に分かれて曲折することで固定部を構成し、前記本体胴部の側端部に斜め下方に向かう複数の切れ込みを入れて曲折起立させて揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具を供する。
【００１１】
前記本体胴部を単一の硬質弾性体による板によって構成し、前記固定部が、本体胴部の上端を縦複数に分割し、該本体胴部の中心軸と、該本体胴部の最上端と前記固定部の最下端を結ぶ線によって形成される角である屈折角が鋭角になる様に前記本体胴部の上端を左右に開いて曲折したものとし、前記返しを本体胴部の側端部に斜め下方に向かう複数の切れ込みを入れて左右に開いて曲折させた揺動可能な返しとした返しを有する固定具を供する。
【００１２】
単一の硬質弾性体の板材の横の長さを縦方向に分割するように折り曲げた構成の固定具であり、本体胴部の上端を前記折り曲げ位置で縦に分割し、該本体胴部の中心軸と、該本体胴部の最上端と前記固定部の最下端を結ぶ線によって形成される角である屈折角が鋭角になる様に前記本体胴部の上端を左右に開いて曲折することで固定部を構成し、前記本体胴部の側端部に斜め下方に向かう複数の切れ込みを入れて外側に向かって曲折することで揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具を供する。
【００１３】
単一の硬質弾性体による板材の縦の長さを２分割するように折り曲げて二枚合わせとなった本体胴部の上端を左右に曲折することで固定部を形成し、前記本体胴部の中心軸と、該本体胴部の最上端と前記固定部の最下端を結ぶ線によって形成される角である屈折角が鋭角になる様に構成し、前記本体胴部の側端部に斜め下方に向かう複数の切れ込みを入れて外側に曲折して揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具を供する。
【００１４】
【発明の実施の形態】
発明の実施の形態について図を用いて説明する。
図１は実施例１の斜視図であり、硬質の棒状体で構成された本体胴部１の上端に固定部２を構成し、下端を侵入部先端３とし、当該先端もしくは本体胴部１に返し４を形成した固定具である。
【００１５】
図２は実施例１の作用図である。図Ａは基盤５上に取り付け物６を裁置し、その上から前記侵入部先端３を打ち込んで固定部２によってを前記取り付け物６を基盤５に押圧した状態を表している。当該図Ａは取り付け物６及び固定部２が弾性を発揮し、固定部２のゆがみ２０と取り付け物物６のゆがみ６０が生じた例である。図Ｂは前記取り付け物６と前記固定部２の弾性によって、図Ａに於ける前記固定部２と取り付け物６が形状を復元して前記基盤５に打ち込んだ前記本体胴部１を引き戻し、前記返し４を前記基盤５に食い込ませることで、前記基盤上５に前記取り付け物６を取り付けた状態を表している。
【００１６】
図３は実施例２の斜視図であり、弾性を有する硬質の棒状体で構成された本体胴部１の上端に固定部２を構成し、下端を侵入部先端３とし、当該侵入部先端３もしくは本体胴部１に返し４を形成した返しを有する固定具である。固定部２はその中央である本体胴部最上端１１との接点から曲折して下方に向かい、本体胴部最上端１１と固定部の最下端２１とを結ぶ線と、胴部の中心線が形成する屈折角７が鋭角をなす。
【００１７】
図４は実施例２の使用状態を示す断面図である。基盤５上に取り付け物６を裁置し、その上から前記侵入部先端３を打ち込むと、一旦、両横に引き延ばされた固定部２が元の形状を復元することで、基盤５内に侵入した本体胴部１を引き戻し、返し４は基板内部で開くように力を発揮し、返し４を基板に食い込ませて固定を確実なものにする。
【００１８】
図５は実施例２における異なる使用状態の断面図である。基盤５が硬質であり、基板の穴５０が設けられ穴の側壁にネジ状の溝５１が形成されている。基盤５上に取り付け物６を裁置し、その上から前記侵入部先端３を打ち込むと、一旦、左右に引き延ばされた固定部２が元の形状を復元することで、基盤５内に侵入した本体胴部１を引き戻し、返し４の先端がネジ状の溝５１に掛着する。基板５が硬質であっても穴５０の側壁にネジ状の溝５１を形成することで、柔軟性あるいは可塑性を有している基板５に使用する本願返しを有する固定具の使用が可能となる。
【００１９】
図６は返し４の先端部の様々な形状を表した斜視図である。図Ａは先端部Ａ４１を持つ返し４のの斜視図であり、もっとも一般的に使用され、基板に先端Ａ４１を食い込ませ易い。図Ｂは先端部Ｂ４２を持つ返し４のの斜視図であり、先端部４２は先端Ａ４１よりも鈍化しており、基板５が柔軟性あるいは可塑性に富んでいる場合に使用される。図Ｃは先端部Ｃ４３を持つ返し４のの斜視図であり、先端部Ｂ４２よりも先端部が更に鈍化している。基板５が更に柔軟性あるいは可塑性に富んでいる場合や、穴の外に突出すること等に対する安全上の配慮等から使用される。
【００２０】
図７は実施例３の斜視図であり、弾性を有する硬質の板状体で構成された本体胴部１の上端を屈折させて屈折部Ａ７１を形成し、屈折部Ａ７１の上部を固定部２とし、屈折部Ａ７１の下部を本体胴部Ｂ１０とし、下端を侵入部先端３とする。当該先端もしくは本体胴部Ｂ１０に返し４を形成した固定具の例である。
【００２１】
ここでは、実施上の具体策として前記本体胴部Ｂ１０を鋼板とし、前記固定部２を前記本体胴部Ｂ１０である鋼板の一端を屈折部Ａ７１で曲折させることで形成し、このことで生じる屈折角７が鋭角であるか、当該固定部２の先端を下方に屈折あるいは下方向に突起させて、本体胴部１の中心軸と、前記本体胴部１の最上端１１と前記固定部２の最下端を結ぶ線によって形成される角である屈折角７が鋭角である固定具とし、基板内に打ち込むか挿入した際に固定部２にゆがみを生じさせ、当該ゆがみを元に戻そうとして前記本体胴部Ｂ１０を引き戻す力を与えた固定具を提示する。
【００２２】
また、本体胴部Ｂ１０に切り込み８を形成することで屈折部Ｂ７２より屈折可能とし、切り込み部８１の先端を本体胴部Ｂ１０から引き離して立ち上げ、返し４とし、上端部は複数に分割して屈折部Ａ７１で前後方向に曲折させ、固定部２とする固定具を提示する。鋼板を使用することで本体胴部Ｂ１０の上端部を曲折し固定部２が形成しやすく、固定部２の弾性により本体胴部Ｂ１０を引き戻す力も得やすい、かさばらずに扱いやすい固定具が実現する。
【００２３】
図８は実施例４の斜視図である。実施上の具体策として、前記本体胴部Ｂ１０を鋼板とし、当該本体胴部Ｂ１０の側端部に斜め下方に向かう複数の切れ込み８を入れ、当該複数の切れ込み８よって生じた複数の鋭角を有する切り込み部８１を本体胴部Ｂ１０の中心軸から離れるように前後方向に曲折させて複数の返し４を形成した固定具を提示した例である。返し４を多数設けることが可能であり、そのことで基板５への係止力が高まり、固定を確実なものにすることができる。
【００２４】
図９は実施例４の使用の状態を示す一部断面を含む斜視図である。基板５及び取り付け物６に本願固定具を打ち込むと固定部２が横方向に押し広げられ、本体胴部Ｂ１０が基板５及び取り付け物６内に侵入する。ついで、固定部２が形状を復元しようとして本体胴部Ｂ１０を引き戻すと返し４の先端は基板５あるいは取り付け物６に刺さることで基板５に取り付け物６を固定する。返しの数４が複数であることから返し４の先端にかかる力を分散させることが可能で固定能力を高めることができる。
【００２５】
図１０は実施例４の使用状態の異なる場合の一部断面を含む斜視図である。基盤５が硬質であり、基板の穴５０が設けられている。基盤５上に取り付け物６を裁置し、その上から前記侵入部先端３を打ち込むと、基板５が硬質であることから返し４の先端は基板の穴５０の側壁には刺さることも掛着することも出来ず、開けない状態の返し４４として基板の穴５０の内部に留まる。
【００２６】
本体胴部Ｂ１０が基板５を貫通し、穴５０の外に出た状態で返し４は本体胴部Ｂ１０から離れるように拡がる。一旦、左右に引き延ばされた固定部２が元の形状を復元することで、基盤５内に侵入した本体胴部１０を引き戻すと穴５０の外の返し４は変形しながら、外で開いた状態の返し４５となって前記引き戻すことを阻止する。以上のことで取り付け物６は基板５に固定され、柔軟性あるいは可塑性を有している基板５に使用するための本願返しを有する固定具が硬質の基板に対しても使用可能となる。
【００２７】
図１１は実施例５の斜視図であり、実施上の具体策として、前記本体胴部Ｂ１０を鋼板で形成し、当該本体胴部Ｂ１０に縦方向の折り目を設け屈折部Ｃ７３とした固定具を提示したものである。本体胴部Ｂ１０の上端部を屈折部Ａ７１で外側に折り返し、固定部２とする。本体胴部Ｂ１０のの側部に返し４を形成する。その効果に実施例４との大きな差異はないが前記本体胴部Ｂ１０に使用する鋼板が薄いものであっても横方向への曲げ強度を強くすることができる。
【００２８】
図１２は実施例６の斜視図であり、実施上の具体策として、前記本体胴部Ｂ１０を鋼板とし、当該鋼板の中央部で二つ折りにし、屈折部Ｄ７４を形成して前記鋼板の中央部を侵入部先端３とした本体胴部Ｂ１０が２枚合わせになった返しを有する固定具の例を提示したものである。実施例３とその効果に大きな差異はないが二枚の本体胴部Ｂ１０が左右方向への弾力を有しているため、本体胴部Ｂ１０を基板あるいは取り付け物の有する穴に挿入した際、本体胴部Ｂ１０が穴の側壁に圧着して安定する。返し４も左右方向への弾力を有するため、穴の径に多少の不揃いがあっても上記弾性がこれを解消する。
【００２９】
図１３は実施例７の斜視図であり、実施上の具体策として、前記本体胴部Ｂ１０を鋼板とし、固定部２の側面２カ所で折り返して屈折部Ｅ７５とし、本体胴部が２枚合わせになった返しを有する固定具を提示したものである。実施例４とその効果に大きな差異はないが二枚の本体胴部Ｂ１０が２枚合わせで左右方向への弾力を有しているため、本体胴部Ｂ１０に複数の返しを設けた場合、実施例４に比べ、返し４の数を２倍にして形成可能であり、ほぼ２倍の係止力が生じる。基板の材質にもろさがあるような場合に返し４にかかる力を分散する効果が高まる。
【００３０】
図１４は実施例８の斜視図であり、前記本体胴部Ｂ１０が一枚の鋼板であって、上下それぞれの先端である侵入部先端３と侵入部先端Ｂ３１から本体胴部Ｂ１０の上下の中央方向に向かって返し４を設けた返しを有する固定具の例である。上下をほぼ対照形として形成可能であるため、上下の区別なく使用可能であり、使用に当たっての利便性が高い。なお「ほぼ対照形」の語意は似た形状を意味し、厳密な意味での対照形を意味するものではない。
【００３１】
図１５は実施例８の使用の状態を示す一部断面を含む斜視図である。基板５に取り付け物６を裁置し、本願固定具を打ち込むと下部に位置する返し４は基板５及び取り付け物６に侵入し、上部に位置する返しＢ４０は取り付け物６に突き刺さり、多少周囲の取り付け物６を傷つけながら横方向に押し広げらる。返しＢ４０は本体胴部Ｂ１０を侵入部先端Ｂに向かって引き戻すように弾力を発揮して固定部としての役割を果たし、基板５に取り付け物６を固定する。以上により、上下の区別のない返しを有する固定具が実現できる。
【００３２】
【発明の効果】
本願発明は、単一の硬質弾性体による固定具であり、本体胴部の上端が左右に分かれて曲折することで固定部を構成し、前記本体胴部の側端部に斜め下方に向かう複数の切れ込みを入れて曲折起立させて揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具であるため次の効果を奏する。
【００３３】
非常に単純な構成で安価に製造でき、基盤上に取り付け物を確実に接合でき、振動によってゆるみの生じない固定具を実現できる。
【００３４】
前記本体胴部を単一の硬質弾性体による板によって構成し、前記固定部が、本体胴部の上端を縦複数に分割し、該本体胴部の中心軸と、該本体胴部の最上端と前記固定部の最下端を結ぶ線によって形成される角である屈折角が鋭角になる様に前記本体胴部の上端を左右に開いて曲折したものとし、前記返しを本体胴部の側端部に斜め下方に向かう複数の切れ込みを入れて左右に開いて曲折させた揺動可能な返しとした返しを有する固定具であるため次の効果を奏する。
【００３５】
本体胴部を引き戻す力を発生させやすく、返しを基板内部で開くように力を発揮させ、返しを基板に食い込ませて固定を確実なものにできる。
【００３６】
単一の硬質弾性体の板材の横の長さを縦方向に分割するように折り曲げた構成の固定具であり、本体胴部の上端を前記折り曲げ位置で縦に分割し、該本体胴部の中心軸と、該本体胴部の最上端と前記固定部の最下端を結ぶ線によって形成される角である屈折角が鋭角になる様に前記本体胴部の上端を左右に開いて曲折することで固定部を構成し、前記本体胴部の側端部に斜め下方に向かう複数の切れ込みを入れて外側に向かって曲折することで揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具であるため次の効果を奏する。
【００３７】
使用する鋼板が薄いものであっても横方向への折り曲げ強度を強くできる。
【００３８】
単一の硬質弾性体による板材の縦の長さを２分割するように折り曲げて二枚合わせとなった本体胴部の上端を左右に曲折することで固定部を形成し、前記本体胴部の中心軸と、該本体胴部の最上端と前記固定部の最下端を結ぶ線によって形成される角である屈折角が鋭角になる様に構成し、前記本体胴部の側端部に斜め下方に向かう複数の切れ込みを入れて外側に曲折して揺動可能な返しを形成し、下端を侵入部先端とした固定具であり、前記基盤上に取り付け物を裁置し、その上から前記侵入部を打ち込み、前記固定部によって前記取り付け物を前記基盤に押圧し、前記固定部が有する弾性によって、打ち込んだ前記本体胴部を引き戻す力を発揮させ、前記基盤が軟質の場合には本願発明の取り付け具を挿入するための孔の側面、及び、孔の外に出た「返し」が外壁に掛着し、前記基盤が硬質であり孔の内壁側面にネジ山状の溝が切ってある場合には、当該溝に「返し」が掛着し、内壁が平滑であった場合には貫通して孔の外に出た「返し」が外壁に掛着し、前記返しを前記基盤に食い込ませるか掛着することで、前記基盤上に前記取り付け物を取り付け可能としたことを特徴とする返しを有する固定具であるため次の効果を奏する。
【００３９】
二枚の本体胴部が左右方向への弾力を有し、かつ、返しの数を増やすことが可能となって掛止力を高めることが可能となる。
【図面の簡単な説明】
【図１】実施例１の斜視図である。
【図２】実施例１の作用図である。
【図３】実施例２の斜視図である。
【図４】実施例２の使用状態を示す断面図である。
【図５】実施例２における異なる使用状態の断面図である。
【図６】返しの先端部の形状を表した斜視図である。
【図７】実施例３の斜視図である。
【図８】実施例４の斜視図である。
【図９】実施例４の使用の状態を示す一部断面を含む斜視図である。
【図１０】実施例４の異なる使用状態の一部断面を含む斜視図である。
【図１１】実施例５の斜視図である。
【図１２】実施例６の斜視図である。
【図１３】実施例７の斜視図である。
【図１４】実施例８の斜視図である。
【図１５】実施例８の使用の状態を示す一部断面を含む斜視図である。
【符号の説明】
１  本体胴部
１０  胴部Ｂ
１１  本体胴部最上端
２  固定部
２０  固定部のゆがみ
３  侵入部先端
３１  侵入部先端Ｂ
４  返し４
４０  返しＢ
４１  先端部Ａ
４２  先端部Ｂ
４３  先端部Ｃ
４４  開けない状態の返し
４５  外で開いた状態の返し
５  基盤
５０  基板の穴
５１  溝
６  取り付け物
６０  取り付け物のゆがみ
７  屈折角
７１  屈折部Ａ
７２  屈折部Ｂ
７３  屈折部Ｃ
７４  屈折部Ｄ
７５  屈折部Ｅ
８  切り込み
８１  切り込み部